【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
高性能コンピューティング環境においてスイッチポートステータスのスケーラブルな表現をサポートするためのシステムであって、
１つ以上のマイクロプロセッサと、
少なくとも１つのサブネットとを備え、前記少なくとも１つのサブネットは、
１つ以上のスイッチを含み、前記１つ以上のスイッチは少なくともリーフスイッチを含み、前記１つ以上のスイッチの各々は複数のポートを含み、前記少なくとも１つのサブネットはさらに、
複数のホストチャネルアダプタを含み、前記複数のホストチャネルアダプタは、前記１つ以上のスイッチを介して相互接続され、前記少なくとも１つのサブネットはさらに、
複数のエンドノードを含み、前記複数のエンドノードの各々は、前記複数のホストチャネルアダプタのうちの少なくとも１つのホストチャネルアダプタに関連付けられ、前記少なくとも１つのサブネットはさらに、
前記１つ以上のスイッチの１つまたは前記複数のホストチャネルアダプタの１つで実行されるサブネットマネージャを含み、
前記１つ以上のスイッチの各々は少なくとも１つの属性を含み、
前記１つ以上のスイッチ上の前記複数のポートの各ポートは、スイッチポートステータスに関連付けられ、
各スイッチ上の前記複数のポートの各ポートに関連付けられる各スイッチポートステータスは、関連付けられるスイッチにおける前記少なくとも１つの属性で表される、高性能コンピューティング環境においてスイッチポートステータスのスケーラブルな表現をサポートするためのシステム。
【請求項２】
前記１つ以上のスイッチ上の前記複数のポートの各ポートは、拡張リンクステータスに関連付けられており、
各スイッチ上の前記複数のポートの各ポートに関連付けられる各拡張リンクステータスは、関連付けられるスイッチにおける前記少なくとも１つの属性で表される、請求項１に記載のシステム。
【請求項３】
前記サブネットマネージャは、１つの動作を使用して前記１つ以上のスイッチのうちの１つのスイッチ上のポートについて前記スイッチポートステータスを判断する、請求項１または２に記載のシステム。
【請求項４】
前記１つの動作は、サブネット管理パケットである、請求項３に記載のシステム。
【請求項５】
前記サブネットマネージャは、１つの動作を使用して前記１つ以上のスイッチのうちの１つのスイッチ上の各ポートについて前記拡張リンクステータスを判断する、請求項２に記載のシステム。
【請求項６】
前記１つの動作は、サブネット管理パケットである、請求項５に記載のシステム。
【請求項７】
前記複数のホストチャネルアダプタのうちのあるホストチャネルアダプタは仮想スイッチを含み、前記仮想スイッチは複数の仮想スイッチポートを含み、
各仮想スイッチポートは仮想スイッチポートステータスに関連付けられ、
各仮想スイッチポートに関連付けられる各仮想スイッチポートステータスは、前記仮想スイッチにおける少なくとも１つの属性で表される、請求項１〜６のいずれか１項に記載のシステム。
【請求項８】
高性能コンピューティング環境においてスイッチポートステータスのスケーラブルな表現をサポートするための方法であって、
１つ以上のマイクロプロセッサを含む１つ以上のコンピュータに、
少なくとも１つのサブネットを提供することを備え、前記少なくとも１つのサブネットは、
１つ以上のスイッチを含み、前記１つ以上のスイッチは少なくともリーフスイッチを含み、前記１つ以上のスイッチの各々は複数のポートを含み、前記１つ以上のスイッチの各々は少なくとも１つの属性を含み、前記少なくとも１つのサブネットはさらに、
複数のホストチャネルアダプタを含み、前記複数のホストチャネルアダプタは、前記１つ以上のスイッチを介して相互接続され、前記少なくとも１つのサブネットはさらに、
複数のエンドノードを含み、前記複数のエンドノードの各々は、前記複数のホストチャネルアダプタのうちの少なくとも１つのホストチャネルアダプタに関連付けられ、前記少なくとも１つのサブネットはさらに、
前記１つ以上のスイッチの１つまたは前記複数のホストチャネルアダプタの１つで実行されるサブネットマネージャを含み、前記方法はさらに、
前記１つ以上のスイッチ上の前記複数のポートの各ポートを、スイッチポートステータスに関連付けることと、
各スイッチ上の前記複数のポートの各ポートに関連付けられる各スイッチポートステータスを、関連付けられるスイッチにおける前記少なくとも１つの属性で表すこととを備える、高性能コンピューティング環境においてスイッチポートステータスのスケーラブルな表現をサポートするための方法。
【請求項９】
前記１つ以上のスイッチ上の前記複数のポートの各ポートを、拡張リンクステータスに関連付けることと、
各スイッチ上の前記複数のポートの各ポートに関連付けられる各拡張リンクステータスを、関連付けられるスイッチにおける前記少なくとも１つの属性で表すこととをさらに備える、請求項８に記載の方法。
【請求項１０】
前記サブネットマネージャによって、１つの動作を使用して前記１つ以上のスイッチのうちの１つのスイッチ上の各ポートについて前記スイッチポートステータスを判断することをさらに備える、請求項９に記載の方法。
【請求項１１】
前記１つの動作は、サブネット管理パケットである、請求項１０に記載の方法。
【請求項１２】
前記サブネットマネージャによって、１つの動作を使用して前記１つ以上のスイッチのうちの１つのスイッチ上の各ポートについて前記拡張リンクステータスを判断することをさらに備える、請求項９に記載の方法。
【請求項１３】
前記１つの動作は、サブネット管理パケットである、請求項１２に記載の方法。
【請求項１４】
前記複数のホストチャネルアダプタのうちのあるホストチャネルアダプタは仮想スイッチを含み、前記仮想スイッチは複数の仮想スイッチポートを含み、
各仮想スイッチポートは仮想スイッチポートステータスに関連付けられ、
各仮想スイッチポートに関連付けられる各仮想スイッチポートステータスは、前記仮想スイッチにおける少なくとも１つの属性で表される、請求項８〜１３のいずれか１項に記載の方法。
【請求項１５】
高性能コンピューティング環境においてスイッチポートステータスのスケーラブルな表現をサポートするための命令を含む、コンピュータ可読プログラムであって、前記命令は、１つ以上のコンピュータによって読み取られ実行されると、前記１つ以上のコンピュータに、
１つ以上のマイクロプロセッサを含む１つ以上のコンピュータに
少なくとも１つのサブネットを提供することを含むステップを実行させ、前記少なくとも１つのサブネットは、
１つ以上のスイッチを含み、前記１つ以上のスイッチは少なくともリーフスイッチを含み、前記１つ以上のスイッチの各々は複数のポートを含み、前記１つ以上のスイッチの各々は少なくとも１つの属性を含み、前記少なくとも１つのサブネットはさらに、
複数のホストチャネルアダプタを含み、前記複数のホストチャネルアダプタは、前記１つ以上のスイッチを介して相互接続され、前記少なくとも１つのサブネットはさらに、
複数のエンドノードを含み、前記複数のエンドノードの各々は、前記複数のホストチャネルアダプタのうちの少なくとも１つのホストチャネルアダプタに関連付けられ、前記少なくとも１つのサブネットはさらに、
前記１つ以上のスイッチの１つまたは前記複数のホストチャネルアダプタの１つで実行されるサブネットマネージャを含み、前記命令は、さらに、１つ以上のコンピュータによって読み取られ実行されると、前記１つ以上のコンピュータに、
前記１つ以上のスイッチ上の前記複数のポートの各ポートを、スイッチポートステータスに関連付けることと、
各スイッチ上の前記複数のポートの各ポートに関連付けられる各スイッチポートステータスを、関連付けられるスイッチにおける前記少なくとも１つの属性で表すこととを含むステップを実行させる、高性能コンピューティング環境においてスイッチポートステータスのスケーラブルな表現をサポートするための命令を含む、コンピュータ可読プログラム。
【請求項１６】
前記ステップは、前記１つ以上のスイッチ上の前記複数のポートの各ポートを、拡張リンクステータスに関連付けることと、
各スイッチ上の前記複数のポートの各ポートに関連付けられる各拡張リンクステータスを、関連付けられるスイッチにおける前記少なくとも１つの属性で表すこととをさらに備える、請求項１５に記載のコンピュータ可読プログラム。
【請求項１７】
前記ステップは、前記サブネットマネージャによって、１つの動作を使用して前記１つ以上のスイッチのうちの１つのスイッチ上の各ポートについて前記スイッチポートステータスを判断することをさらに備える、請求項１６に記載のコンピュータ可読プログラム。
【請求項１８】
前記１つの動作は、サブネット管理パケットである、請求項１７に記載のコンピュータ可読プログラム。
【請求項１９】
前記ステップは、前記サブネットマネージャによって、１つの動作を使用して前記１つ以上のスイッチのうちの１つのスイッチ上の各ポートについて前記拡張リンクステータスを判断することをさらに備える、請求項１６に記載のコンピュータ可読プログラム。
【請求項２０】
前記１つの動作は、サブネット管理パケットである、請求項１９に記載のコンピュータ可読プログラム。
【請求項２１】
コンピュータシステムによって実行されると、前記コンピュータシステムに請求項８〜１４のいずれか１項に記載の方法を実行させる、機械可読フォーマットにおけるプログラム命令を含む、コンピュータプログラム。